(57)【要約】共通領域におけるメディア選択に影響を与えるための方法であって、所望の共通領域におけるメディア選択に影響を与えることに参加するためのオプションについて１人又はそれ以上のユーザに知らせる段階（１１１）と、ユーザから選択情報を受信するように共通領域においてユーザとの通信を確立する段階（１１２）と、所定のタイムスロットの間に共通領域において再生されるメディア選択を決定するように所定のタイムスロットについての選択基準にしたがって選択情報を評価する段階（１２２）と、を有する方法を開示している。共通領域においてメディア選択に影響を与えるための入力を受信するためのシステムは、共通領域においてユーザとの通信を確立し、ユーザから選択情報を受信する管理モジュール（２０）を有する。選択情報モジュール（２４）はユーザにオプションを与え、共通領域において再生されるメディア選択を決定するように所定のタイムスロットについての選択基準にしたがって評価するようにユーザから選択情報を受信する。コンタクト情報装置（３２）は、共通領域におけるメディア選択に影響を与える有効な参加についてユーザに知らせる。
2008529185.tif 000002
【特許請求の範囲】
【請求項１】
共通領域におけるメディア選択に影響を与えるための方法であって：
所望の共通領域におけるメディア選択に影響を与えることに参加するためのオプションについて１人又はそれ以上のユーザに知らせる段階；
前記１人又はそれ以上のユーザから選択情報を受信するように前記共通領域において前記１人又はそれ以上のユーザとの通信を確立する段階；及び
所定のタイムスロットの間に前記共通領域において再生されるメディア選択を決定するように前記所定のタイムスロットについての選択基準にしたがって前記選択情報を評価する段階；
を有する方法。
【請求項２】
請求項１に記載の方法であって、選択基準にしたがって前記選択情報を評価する前記段階は、投票を集計し、最も投票数の多いメディア選択に前記タイムスロットを与える段階を有する、方法。
【請求項３】
請求項１に記載の方法であって、選択基準にしたがって前記選択情報を評価する前記段階は、ユーザからアップロードされたメディアコンテンツを受信し、アップロードされた素材が再生されることができるかどうかを判定する基準を評価する段階を有する、方法。
【請求項４】
請求項３に記載の方法であって、アップロードされた素材が再生されることができるかどうかを判定する基準を評価する前記段階は、前記アップロードされた素材が利用可能なコンテンツであるかどうかを判定するように、前記アップロードされた素材をスクリーニングする段階を有する、方法。
【請求項５】
請求項１に記載の方法であって、選択基準にしたがって選択情報を評価する前記段階は、前記１人又はそれ以上のユーザから入札を受け入れ、前記タイムスロットが与えられる勝利入札をしたユーザを決定する段階を有する、方法。
【請求項６】
請求項１に記載の方法であって、前記１人又はそれ以上のユーザに料金を課金する段階を更に有する、方法。
【請求項７】
請求項１に記載の方法であって、前記知らせる段階は、前記共通領域における前記１人又はそれ以上のユーザからユーザに限定するアクセス情報を有する通知ソースを更新する段階を有する、方法。
【請求項８】
請求項７に記載の方法であって、前記通知ソースは、表示、サイン又は聴覚メッセージのうちの一である、方法。
【請求項９】
請求項１に記載の方法であって、各々のユーザが前記共通領域内にいることを確実にするように、各々のユーザの場所を確認する段階を更に有する、方法。
【請求項１０】
請求項１に記載の方法の段階を実行するように、機械により実行可能な指令のプログラムを明確に具現化する機械読み出し可能プログラム記憶装置。
【請求項１１】
共通領域におけるメディア選択に影響を与えるための方法であって：
所望の共通領域におけるメディア選択に影響を与えることに参加するためのオプションについて１人又はそれ以上のユーザに知らせる段階；
前記１人又はそれ以上のユーザから選択情報を受信するように前記共通領域において前記１人又はそれ以上のユーザとの通信を確立する段階；
所定のタイムスロットにおいて再生されるメディアを選択するための前記１人又はそれ以上のユーザにオプションを与える段階；
前記１人又はそれ以上のユーザから選択されたオプションにしたがって選択情報を受信する段階；及び
所定のタイムスロットの間に前記共通領域において再生されるメディア選択を決定するように前記所定のタイムスロットについての選択基準にしたがって前記選択情報を評価する段階；
を有する方法。
【請求項１２】
請求項１１に記載の方法であって、選択基準にしたがって前記選択情報を評価する前記段階は、投票を入札し、最も投票数の多いメディア選択に前記タイムスロットを与える段階を有する、方法。
【請求項１３】
請求項１１に記載の方法であって、選択基準にしたがって前記選択情報を評価する前記段階は、ユーザからアップロードされたメディアコンテンツを受信し、アップロードされた素材が再生されることができるかどうかを判定する基準を評価する段階を有する、方法。
【請求項１４】
請求項１３に記載の方法であって、アップロードされた素材が再生されることができるかどうかを判定する基準を評価する前記段階は、前記アップロードされた素材が利用可能なコンテンツであるかどうかを判定するように、前記アップロードされた素材をスクリーニングする段階を有する、方法。
【請求項１５】
請求項１１に記載の方法であって、選択基準にしたがって選択情報を評価する前記段階は、前記１人又はそれ以上のユーザから入札を受け入れ、前記タイムスロットが与えられる勝利入札をしたユーザを決定する段階を有する、方法。
【請求項１６】
請求項１に記載の方法であって、前記１人又はそれ以上のユーザから選択情報を受信する段階は、ユーザに料金を課金する段階を有する、方法。
【請求項１７】
請求項１１に記載の方法であって、前記知らせる段階は、前記共通領域における前記１人又はそれ以上のユーザに限定するアクセス情報を有する通知ソースを更新する段階を有する、方法。
【請求項１８】
請求項１７に記載の方法であって、前記通知ソースは、表示、サイン又は聴覚メッセージのうちの一である、方法。
【請求項１９】
請求項１１に記載の方法であって、各々のユーザが前記共通領域内にいることを確実にするように、各々のユーザの場所を確認する段階を更に有する、方法。
【請求項２０】
請求項１１に記載の方法であって、前記オプションは、リストに与えられたメディア選択における投票、メディアコンテンツのアップロード及びメディア選択における入札のうちの一を有する、方法。
【請求項２１】
請求項１１に記載の方法の段階を実行するように、機械により実行可能な指令のプログラムを明確に具現化する機械読み出し可能プログラム記憶装置。
【請求項２２】
共通領域においてメディア選択に影響を与えるための入力を受信するためのシステムであって：
共通領域において１人又はそれ以上のユーザとの通信を確立し、前記１人又はそれ以上のユーザから選択情報を受信する管理モジュール；
前記１人又はそれ以上のユーザに選択情報のオプションを与え、所定のタイムスロットの間に前記共通領域において再生されるメディア選択を決定するようにメディア選択を決定するように前記タイムスロットについての選択基準にしたがって前記選択情報を評価するように前記１人又はそれ以上のユーザから前記選択情報を受信する選択情報モジュール；及び
前記共通領域におけるメディア選択に影響を与えることにおける有効な参加について前記１人又はそれ以上のユーザに知らせるコンタクト情報装置；
を有するシステム。
【請求項２３】
請求項２２に記載のシステムであって、前記選択情報モジュールは、前記１人又はそれ以上のユーザによる選択のために利用可能なメディア選択のリストを有する、システム。
【請求項２４】
請求項２３に記載のシステムであって、前記選択情報モジュールは、最も投票数の多いメディア選択に対してタイムスロットを与えるように前記１人又はそれ以上のユーザから受信された投票を集計する、システム。
【請求項２５】
請求項２２に記載のシステムであって、前記管理モジュールは、ユーザからアップロードされたメディアコンテンツを受信し、アップロードされた素材が再生されることができるかどうかを判定するように基準に対して前記メディアコンテンツを評価する、システム。
【請求項２６】
請求項２２に記載のシステムであって、前記選択基準モジュールは、前記１人又はそれ以上のユーザから入札を受信し、前記タイムスロットが与えられる勝利入札を有するユーザを決定する、システム。
【請求項２７】
請求項２２に記載のシステムであって、前記コンタクト情報装置は、表示、サイン又は聴覚メッセージのうちの一を有する、システム。
【請求項２８】
請求項２２に記載のシステムであって、前記コンタクト情報装置は通知ソースを有し、前記通知ソースは、前記共通領域における前記１人又はそれ以上のユーザからユーザに限定されるアクセス情報を更新する、システム。
【請求項２９】
請求項２２に記載のシステムであって、ユーザが前記共通領域内にいることを確認するように前記１人又はそれ以上のユーザの場所を確認する領域確認モジュールを更に有する、システム。
【請求項３０】
請求項２２に記載のシステムであって、再生される前記メディア選択にしたがってメディアを出力するメディア出力装置を更に有する、システム。
【発明の詳細な説明】
【技術分野】
【０００１】
本発明は、メディアを選択することに関し、特に、共通領域における再生のためにひとがメディアを選択するためのシステム及び方法に関する。
【背景技術】
【０００２】
例えば、電車の駅、バー、スポーツイベント等の公共の場では、そこにいるひとの一部又は全てに喜ばれない又は所望されない音楽又は他のメディアがレンダリングされる可能性がある。場によっては、しばしば、再生されるコンテンツの種類又は選択に影響を与える方法が存在してない。
【０００３】
小さい場においては、所有者、管理者又は他の人々の要求が、例えば、デパート等のスピーカで再生される音楽を変えるように試みるために利用可能である場合がある。これは、そのように要求することが便利ではないために、価値を限定している。更に、そのような要求は、所望の反応と適合しない可能性がある。他のシナリオにおいては、音楽は、ロケーションにより制御されることが可能ではない、又は音楽サービスに対して申し込みすることが可能ではない。それ故、公共領域又は共通領域で再生されるメディアにひとが影響を与えることを可能にするシステム及び方法を有することは有利である。
【発明の開示】
【課題を解決するための手段】
【０００４】
共通領域におけるメディア選択に影響を与える方法は、所定の共通領域におけるメディア選択に影響を与えることにおいて参加するオプションについてユーザに知られる段階と、ユーザから選択情報を受け入れるように共通領域においてユーザとの通信を確立する段階と、そして所定のタイムスロットの間に共通領域において再生されるメディア選択を決定するようにそのタイムスロットについての選択基準にしたがって選択情報を評価する段階と、を有する。
【０００５】
共通領域においてメディア選択に影響を与えるための入力を受信するためのシステムは管理モジュールを有し、その管理モジュールは、ユーザから選択情報を受信するように共通領域においてユーザとの通信を確立する。選択情報モジュールは、ユーザに対して選択情報のオプションを与え、所定のタイムスロットの間に共通領域で再生されるメディア選択を決定するようにそのタイムスロットについての選択基準にしたがって、選択情報を評価するようにユーザからの選択情報を受信する。コンタクト情報装置は、共通領域におけるメディア選択に影響を与えることにおける有効な参加についてユーザに知らせる。
【０００６】
本発明の上記の及び他の目的、特徴及び有利点については、添付図に関連付けて読むようになっている、以下の例示としての実施形態により明らかになる。
【０００７】
本発明については、以下、図を参照する好適な実施形態において詳述する。
【発明を実施するための最良の形態】
【０００８】
本発明は、個人が公の場で再生される媒体の選択に影響を与えることが可能であるシステム及び方法を提供する。本発明は、好適には、例えば、ローカルエリアネットワーク又は専用ネットワーク等の無線ネットワークのような遠隔コミュニケーションを介して実行される。本発明においては、本発明が実施されることが可能である方法を示すように、複数の異なる例示としての実施形態について説明される。それらの実施形態は単に例示であって、限定するとして解釈されるべきものではない。
【０００９】
図に示されている要素は、ハードウェア、ソフトウェア又はそれらの組み合わせの種々の方式で実施されることが可能であることが理解される必要がある。好適には、それらの要素は、ハードウェア及びソフトウェアを組み合わせて実施され、それらの組み合わせは、プロセッサ、ディスプレイ、メモリ及び入力／出力インターフェースを有する１つ又はそれ以上の適切にプログラムされた汎用ディジタルコンピュータを備えることが可能である。図に示されている要素は、ハードウェア及びソフトウェアの種々の組み合わせにおいて実施され、単一の要素又は複数の要素において組み合わされることが可能である機能を与えることが可能である。更に、図示されている要素は、ネットワークに亘って分配されることが可能であり、又は単独の場所に位置付けられることが可能である。
【００１０】
ここで、同じ参照番号は同じ又は類似する要素を表す図であって、先ず、図１を参照するに、本発明したがった実施形態の特徴及び側面を示すように、例示としてのシステム１００が示されている。システム１００は、好適には、公共領域又は一般領域１５において実施される。一般領域１５はまた、公衆に対して開かれたプライベート領域又は１人又はそれ以上の個人に対して開かれたプライベート領域を有することが可能である。一部の関連する実施例においては、一般領域１５は、地下鉄の駅、スポーツ又は娯楽施設、公共広場、会社若しくは何れの他の屋内又は屋外の集合場所を有することが可能である。
【００１１】
システム１００は管理モジュール又はシステム２０を有する。モジュール２０は、複数のユーザから情報を受信するように備えられているサーバ若しくは何れのコンピュータ装置又は機構を有することが可能である。サーバ２０は、システム１００の機能及び動作を管理する。サーバ２０はネットワーク３０に接続されることが可能であり、ネットワーク３０は、インターネット、ローカルエリアネットワーク、ケーブルネットワーク、ホームネットワーク等の指定のネットワーク、若しくは何れの他の通信ネットワークを有することが可能である。一実施形態においては、サーバ２０は、複数のユーザ１１から直接、入力を受信する。
【００１２】
ユーザ１１は、複数の異なる方法でサーバ２０と通信することが可能である。それらの方法の一部は、図１に示されていて、例えば、ラップトップコンピュータ１２、携帯電話１４、携帯情報端末（ＰＤＡ）１６、ページャ１８又は何れの他の装置１０のような無線装置を有することが可能であり、その無線装置は、サーバ２０と接続し、そして認識されるプロトコルにしたがってサーバ２０に対して適切な情報を伝達することができる。
【００１３】
システム１００の特徴については、以下の例示としての説明により明らかになる。この実施例においては、公共領域は電車の駅を含む。多くのひとが電車を待っていて、ラップトップコンピュータ１２、携帯電話１４、ＰＤＡ１６又はページャ１８を所持している可能性がある。メディア出力装置２２が駅（領域１５）に設置されている。装置２２は、テレビ、モニタ、ディスプレイ、ラジオ、スピーカ若しくは何れの他のメディア出力システム又は装置を有することが可能である。
【００１４】
駅にいるユーザ１１は、テレビ局、ラジオ局を変える、又は１つ又はそれ以上のメディア出力装置２２において再生される機会を有する。一実施形態においては、このことは、ユーザが再生されるメディアコンテンツを選択する又は投票するための機会が存在することを、ユーザに知らせることを有する。この知らせは、コンテンツ情報表示を有することが可能である。表示３２は、サーバ２０への接続の仕方に関する情報を与える若しくは投票する又は値を付ける仕方に関する指示を有することが可能であるサイン、広告又はポスティングであることが可能である。表示３２はまた、メディア出力装置２２に組み込まれることが可能である。指示は、聴覚的に、視覚的に又は何れの他の伝達方法により伝達されることが可能である。例えば、サイン（３２）は、ウェブサイトを示すように、電話番号を与えるように又はサーバ２０と通信するためのパスワードを提示するように、電車の駅に情報を流すことが可能である。サインが用いられる場合、サインは変えられることが可能であり、パスワード又は他の情報は、局所的な群衆のみがサーバ２０とインタラクトすることを確実にするように変えられることが可能である。
【００１５】
ユーザ１１は、メディア出力装置２２において実施されるメディアは好ましくないと判定することができる。ユーザ１１は、直接に、若しくは公に切り換えられるネットワーク又は他のネットワークにおいてサーバ２０にログインするように表示３２における指示に従う。サーバ２０は、メディア選択のための複数のオプション又は選択肢を与えることが可能である。ユーザ１１は、それらのオプションの１つを選択する、又は彼／彼女自身の意見を入力することが可能である。これは、表題、アーティスト又は他の情報を入力することを可能にする。サーバ２０は、ユーザ１１から受信した情報を他のユーザからの情報と比較する。これは、複数の方法で行われることが可能である。例えば、サーバ２０は、所定の時間期間に亘るその選択についての投票数が集計されることができる。最も投票の多い選択が勝利し、特定の時間セグメントの終了時に又は即座に実施されることが可能である。この情報は、彼等のそれぞれの装置を介して又は、例えば、表示３２を用いて公的に、ユーザ１１に対して任意に返送されることが可能である。
【００１６】
サーバ２０は、投票／ポーリング／入札モジュール２４に含まれる又は結合されることが可能であり、その投票／ポーリング／入札モジュール２４は所定の期間の間の選択肢についての投票が集計される。投票期間が経過した後、機構２４は、投票／ポーリングの勝者をサーバ２０に報告する。一旦、メディアが決定されると、サーバ２０は、メディア出力装置２２にレンダリングするためにメモリ／コンテンツ記憶装置２８からメディアをダウンロードする。
【００１７】
投票がなされない、例えば、駅に誰もいない場合、又は駅にいる誰一人として投票しない場合、対策が講じられることが可能である。その場合、メディアはランダムに選択され、プログラムにしたがって実施されることが可能であり、又はシステム１００は電力供給されないことが可能である。
【００１８】
投票にはまた、システムにおける複数の異なる技術を有することが可能である。例えば、ユーザは、実施待ち行列におけるメディアに投票することが可能であり、次に実施されるメディアのタイトルが最も人気のあるタイトル（最も投票数の多い）を有することが可能である。最後に選択されたメディアの実施中に、実施される次のタイトルを決定するように、次のタイトルのための投票が集計されることが可能である。他の方法においては、投票は、実施待ち行列におけるメディアを含むことが可能であり、その実施待ち行列は、所定の投票期間、例えば、０．５時間の間の投票数に基づいて順序付けされている。０．５時間の経過後に、投票数にしたがって、タイトルは順序付けられ、例えば、投票数の最も多いものが最初に実施され、２番目に投票数が多いものが２番目に実施される、等である。それらの方法は、実施されるべき次のタイトルについて判定がなされる必要がある時点の瞬時の投票集計が次に実施されるべき次のタイトルを決定するように、動的投票システムを更に有することが可能である。例えば、そのシステムは、絶えず、投票を改定することが可能であり、そして所定期間（任意に設定されることが可能である）の間に受信した投票数を決定し、最も多い投票数にしたがって次のタイトルを選択するように、その期間に亘って調べ直すことが可能である。最後に選択されたタイトルは、実施待ち行列に戻されるが、所定時間が経過する又は所定のタイトル数が実施されるまでは、再び実施されることはないことが可能である。他の技術がまた、検討されることが可能である。
【００１９】
他の実施形態は、瞬時に又は選択された時点で実施される特定の選択を得るように試みるように、他のユーザに対抗して個々のユーザ１１が入札することができる能力を有する。一実施例においては、ユーザＡは、出力装置２２において再生されるビデオＢを選択するようにシステム１００を採用することを決める。ユーザＡは数時間の間、駅にいるため、ユーザＡは、指定の時間に映画Ｂを視聴するオプションについて支払う意志をもっている。無競争の場合、システム１００は、支払うユーザＡについて何れの投票にも勝つ。ユーザＡは、クレジットカード情報を要求される又は彼／彼女のサービスプロバイダ（例えば、電話会社）を介して請求されることが可能である。
【００２０】
他の実施例においては、ユーザＣは、同時に同じ映画を視聴したいと思っている。その場合、そのシステムは、両方のユーザに対して請求し、ユーザＡ及びユーザＣの各々に対する費用は減額されることが可能である。しかしながら、ユーザＡ及びユーザＣが異なる映画を視聴したいと思う場合、そのタイムスロットが請求に対して開かれている。ユーザＡ及びユーザＣの両者は、入札額を入力し、所定入札期間の後に、機構２４は勝者を決定し、勝者に支払いを請求し、勝者の入札にしたがって再生されるように次の選択についてサーバ２０に知らせる。
【００２１】
アプリケーションに応じて、領域確認装置又はシステムが備えられることが可能である。一実施例においては、領域確認装置／システム２６は、投票するユーザが実際に領域１５に存在することを確実にする付加段階を有する。領域確認装置／システム２６は、投票又は入札処理の間に投票者により入力される必要がある表示３２におけるコード又は数字を表示する段階を有することが可能である。領域確認装置／システム２６は、数分毎に又は各々の投票セグメントの間に、コードを変えることが可能である。領域１５に存在する人のみが、そのコードを知ることができ、投票／入札することができる。他の実施形態においては、領域確認装置／システム２６は、投票者／入札者の場所を確認するように、ＧＰＳ（グローバルポジショニングシステム）又は他の位置決定方法を用いることが可能である。
【００２２】
他の実施形態においては、ユーザ１１は、再生されるメディアをアップロードすることにより出力装置２２から出力されるメディアに影響を与えることが可能である。装置１０乃至１８の１つからサーバ２０に対してアップロードされたメディアは、サーバ２０によりコンテンツを調べられる必要がある、又は、著作権が侵害されていないことを確実にする必要がある。待ち行列か又はタイムスロットのどちらかに置かれることが可能であるアップロードされたメディアは再生時間の間に入札されることが可能である。
【００２３】
他の実施形態においては、人は、公のイベント又は場で再生されるメディアに投票する又は入札することが可能である。この実施形態は、そのイベントにおいて存在することを必要とすることが可能であり、又はチケットを持っているひと又は公衆が全体として再生されるメディアに影響を与えることが可能である。一実施例においては、ユーザ１１は、タイムズスクウェアで大晦日の真夜中に再生される楽曲を聴くことを希望する。この特典のためのオークションが、そのイベントに先駆けて開催され、入札が可能になる。最も高額の入札者は、タイトルリストから選択し、ユーザが選択したタイトル又はアップロードした個人的なメッセージ又はメディアをリクエストすることが可能である。これはそのイベントに先だって実行されるため、アップロードされるメッセージは、適切性について又はメディアが著作権を侵害されないことを保証するように、スクリーニングされることができる。この実施例においては、サーバ２０は、コンピュータを使用しているユーザによりインターネット（ネットワーク３０としての）において接続されることが可能であるが、他の装置及び方法を用いることが可能である。
【００２４】
図２を参照するに、ユーザが共通領域において再生されるメディアを選択することを可能にするシステム／方法が示されている。ブロック１１０においては、システム１００とのユーザインタラクションを可能にするシステム１００が備えられている。システム１００は、図１に関連して説明している特徴の一部又は全てを有することが可能である。例えば、サーバは、個々のユーザとシステムとのインタラクションを可能にするように用いられることが可能である。ブロック１１１においては、ユーザは、共通領域において再生されるメディアに影響を与えることができるオプションに警告される。これは、そのオプションについて通行人に情報を与えるインタラクティブスクリーンを有するキオスクを有することにより又はサインを表示することにより実施されることが可能である。ブロック１１２において、ユーザはシステム（例えば、サーバ２０）との通信を確立する。これは、携帯電話、ＰＤＡ、ページャ又は携帯コンピュータ装置を用いる無線通信により実行されることが可能である。
【００２５】
ブロック１１４においては、支払いが、メディアを選択し続けるために必要である。この支払いは、ユーザが所望する選択の種類に応じて、複数の方式を取ることが可能である。例えば、ユーザに対して与えられるメディアオプションのリストからの単純な投票は無料であることが可能であり、又は選択することが無料であることが可能である。入札を行うことは料金を課せられることが可能である。ユーザは、クレジットカードの情報を入力するサービスプロバイダ用の口座を開く又は既存のサービスプロバイダにより課金されるように求められる（例えば、システムと接続するように用いられる装置及び／又はシステムの使用に基づいてインターネットサービスプロバイダ又は電話会社により課金されない）ことが可能である。
【００２６】
ユーザは、再生されるメディアに影響を与えるように、又はブロック１１６、１１８及び／又は１２０の１つを選択することにより再生されるように方法を選択する。ブロック１１６においては、ユーザは、通信が確立された後に、システムにより与えられるリストからユーザへのコンテンツのタイトルを選択することにより所定の期間中に再生されるようにメディア選択のために投票する。
【００２７】
ブロック１１８においては、ユーザは、システムに対してコンテンツのタイトルをアップロードするように選択することが可能である。この処理は、ブロック１２に関連して説明するように、入札に含まれることが可能である。アップロードされた題材は、入札額が添えられることが可能であり、ユーザは、そのアップロードされた題材に必要な実行時間及び入札額に基づくタイムスロットについて競争する。その入札が複数の入札の中で最も高額である場合、その最も高額な入札は、ユーザがアップロードした題材がタイムスロットに対して長過ぎる又は短過ぎる場合にそのタイムスロットに勝利しないことが可能である。例えば、アップロードについての勝利の入札を決定するように重み付け演算を有する他の基準がまた、用いられることが可能である。
【００２８】
ブロック１１８は、アップロードされるコンテンツが共通領域に対して適切であるかどうかを判定するようにブロック１１９におけるオプションのスクリーニング段階が後続することが可能であり、著作権の侵害は問題ない。適切なコンテンツは、そのコンテンツが環境に応じて一般大衆の視聴又は他の視聴に対して適切であるかどうかを含むことが可能である。
【００２９】
ブロック１２０においては、ユーザは、入札額を入力し、勝者の決定を待つことにより、タイムスロットに関して入札することが可能である。その入札は、再生されるように所望されたメディアを入力することと、重み付け投票を行う方法として共に共通メディア選択に関する入札をプールすることとを有することが可能である。例えば、ユーザＡ及びユーザＢが同じタイムスロットに関して入札し、同じメディアコンテンツを再生することを所望する場合、彼等の入札は、その入札を改善するように組み合わされ、勝利の可能性を高めることが可能である。
【００３０】
ブロック１２２においては、システムは、投票を集計し、そのシステムについての再生リストを決定するように勝利入札を決定する。入札に勝利したユーザは、ブロック１２０において、特定のタイムスロットに対する権利を得ることが可能である。その場合、そのシステムは、ブロック１２２でなされた決定にしたがって、そのメディアを再生する。
【００３１】
共通領域におけるメディア選択に影響を与えるためのシステム及び方法についての好適な実施形態について上で詳述したが、上記の説明に照らして、当業者は修正及び変形を行うことが可能であることに留意する必要がある。それ故、同時提出の特許請求の範囲に開示されている実施形態の範囲及び主旨に網羅される開示内容の特定の実施において、変形が実行されることが可能であることを理解される必要がある。このように詳述し、特許法により特に必要とされるために、請求される及び特許証により保護されるものについては同時提出の特許請求の範囲に記載されている。
【図面の簡単な説明】
【００３２】
【図１】例示としての実施形態にしたがった共通領域において再生されるメディアコンテンツに影響を与えるためのシステムのブロック図である。
【図２】例示としての実施形態にしたがった共通領域において再生されるメディアコンテンツに影響を与えるためのシステム／方法のブロック／フロー図である。
【図１】
2008529185.tif 000003
【図２】
2008529185.tif 000004
【国際調査報告】
2008529185.tif 000005
2008529185.tif 000006
2008529185.tif 000007